(57)【特許請求の範囲】
【請求項１】
キーシリンダに対して挿脱可能に形成される鍵板と、鍵板の基端部に装着される内部が中空の合成樹脂製の撮み板とから成り、前記撮み板の内部には、外部の送受信機との交信によって照合される識別情報を記憶することが可能な電子チップが組み込まれる鍵材において、前記鍵板は、基端部に前記撮み板の内部に嵌挿される帯板部が一体に形成され、前記帯板部は、少なくとも一側縁に切欠、板面に前記電子チップを保持する凹部を有し、凹部に電子チップを嵌めた状態で撮み板の下端面に形成された開口部より撮み板の内部に対して挿脱可能に形成されており、前記撮み板は、その内部に帯板部の嵌挿によって前記切欠にかみ込む突片を有する抜止め部材が設けられるとともに、前記切欠に対する突片のかみ込みを外すことが可能な操作具が外部より内部へ挿入可能に形成されて成る鍵材。
【請求項２】
前記抜止め部材は、左右一対の脚部を有するＵ字状の板材であり、撮み板の内部に鍵板の帯板部を跨ぐように配置されており、前記突片は、弾性を有する少なくとも一方の脚部の先端部に内向きに一体形成され、前記撮み板の内部へ挿入された前記操作具により脚部を外方へ撓ませることにより前記切欠に対する突片のかみ込みが外れるようになっている請求項１に記載された鍵材。
【請求項３】
前記撮み板の両側面には、抜止め部材の左右の脚部の先端部の位置に合わせて開口部が形成されており、前記抜止め部材は、前記突片が形成されている脚部の先端部に、前記開口部を部分的に塞いで前記操作具の挿入口となす塞ぎ片が一体形成され、前記突片が形成されていない脚部の先端部には、前記開口部の全体を塞ぐ塞ぎ片が一体形成されている請求項２に記載された鍵材。
【発明の詳細な説明】
【技術分野】
【０００１】
この発明は、キーシリンダに対して挿脱可能に形成される鍵板の基端部に合成樹脂製の撮み板が装着されて成る鍵材に関し、特にこの発明は、撮み板に外部の送受信機との交信によって照合される識別情報を記憶することが可能な電子チップが組み込まれる鍵材に関する。
【背景技術】
【０００２】
近年、車両の盗難を防止するため、車両にイモライザシステムが搭載されている（例えば、特許文献１参照）。このイモライザシステムは、図１２に示す構成のものであり、イグニションキー８には、基端部の撮み板８０の内部に、そのキーに固有のＩＤコードが記憶された電子チップ８２が一体に組み込まれている。キーシリンダ９にイグニションキー８が差し込まれると、電子チップ８２と車両に設置された送受信機９１との間で交信が行われ、電子チップ８２より読み出されたＩＤコードが車両の送受信機９へ送られる。
【０００３】
送受信機９１はイモライザユニット９２に接続されており、イモライザユニット９２はＩＤコードを記憶するメモリを有している。イグニションキー８の電子チップ８２から送られてきたＩＤコードは送受信機９１を経てイモライザユニット９２に取り込まれ、メモリに記憶されているＩＤコードと照合される。イグニションキー８の鍵板８１にはそのキーに固有の鍵山および鍵溝が刻まれており、鍵山および鍵溝がキーシリンダ９の鍵孔に合致し、かつ照合によりＩＤコードが一致すると判断されたとき、エンジンの始動が許可される。一方、鍵山および鍵溝がキーシンリンダの鍵孔に合致しても、ＩＤコードが不一致であると判断されると、エンジンの始動は許可されない。
【先行技術文献】
【特許文献】
【０００４】
【特許文献１】特開２０００−１０８８４８号公報
【発明の概要】
【発明が解決しようとする課題】
【０００５】
上記のイグニションキー８は、金属製の鍵板８１の基端部に合成樹脂製の撮み板８０が一体化された構造のものである。その種のイグニションキー８について、スペアキーを製作する場合、鍵材（キーブランク）の鍵板８１にイグニションキーと同じ並びの鍵山および鍵溝が切削されるとともに、電子チップ８２にイグニションキーと同じＩＤコードが書き込まれる。鍵材が上記のイグニションキーと同様の一体構成のものであるとき、鍵板８１と撮み板８０とは分離できないため、鍵板８１への切削作業がやりずらいという問題がある。また、電子チップ８２は撮み板８０より取り出せないため、ＩＤコードの書込みが困難な場合もある。また、鍵山および鍵溝に切削不良があると、鍵材の全体を廃棄することになり、甚だ不経済である。
【０００６】
図１３に示すように、撮み板８０が本体部８０ａと蓋板部８０ｂとに分割された鍵材も市場に提供されているが、撮み板８０の本体部８０ａが鍵板８１の基端部に一体化されているため、鍵山および鍵溝の切削に失敗したとき、鍵板８１のみを廃棄することができず、上記した技術課題は解決されない。
【０００７】
この発明は、上記の問題に着目してなされたもので、鍵板と撮み板とが分離可能であって鍵板の切削および電子チップへのＩＤコードの書込が容易であり、しかも、鍵板と撮み板との結合をワンタッチで行うことができ、さらに、鍵板と撮み板との結合後は鍵板と撮み板とは簡単に分解することがなく、またその一方において、必要に応じて両者を容易に分離することもできる鍵材を提供することを目的とする。
【課題を解決するための手段】
【０００８】
この発明による鍵材は、キーシリンダに対して挿脱可能に形成される鍵板と、鍵板の基端部に装着される内部が中空の合成樹脂製の撮み板とから成る。前記撮み板の内部には、外部の送受信機との交信によって照合される識別情報を記憶することが可能な電子チップが組み込まれる。前記鍵板は、基端部に前記撮み板の内部に嵌挿される帯板部が一体に形成されている。前記帯板部は、少なくとも一側縁に切欠、板面に前記電子チップを保持する凹部を有し、凹部に電子チップを嵌めた状態で撮み板の下端面に形成された開口部より撮み板の内部に対して挿脱可能に形成されている。前記撮み板には、その内部に帯板部の嵌挿によって前記切欠にかみ込む突片を有する抜止め部材が設けられるとともに、前記切欠に対する突片のかみ込みを外すことが可能な操作具が外部より内部へ挿入可能に形成されている。
【０００９】
この発明による鍵材よりスペアキーを製作する場合、鍵板と撮み板とを分離し、鍵板には切削加工を施して鍵山および鍵溝を刻設し、電子チップには固有の識別情報を書き込む。その電子チップを鍵板の帯板部の凹部に嵌めた状態で、帯板部を撮み板の開口部より撮み板の内部へ嵌挿すると、帯板部の切欠に抜止め部材の突片がかみ込み、鍵板の帯板部と撮み板とが強固に結合する。
鍵板と撮み板との結合後は、必要に応じて両者を分離することが可能であり、操作具の先端部を撮み板の挿入口へ挿入して抜止め部材の先端部に当て、突片を後退させると、突片は切欠より脱出して両者のかみ込みが外れ、電子チップを伴った状態で鍵板を撮み板より抜き取ることができる。
【００１０】
この発明の好ましい実施態様においては、前記抜止め部材は、左右一対の脚部を有するＵ字状の板材であり、撮み板の内部に鍵板の帯板部を跨ぐように配置されている。前記突片は、弾性を有する少なくとも一方の脚部の先端部に内向きに一体形成され、前記撮み板の内部へ挿入された前記操作具により脚部を外方へ撓ませることにより前記切欠に対する突片のかみ込みが外れるようになっている。
【００１１】
この実施態様によれば、鍵板の帯板部を撮み板の開口部より撮み板の内部へ嵌挿すると、まず、抜止め部材の突片が帯板部の側縁上に乗り上がり、脚部が外方へ撓んで弾性変形する。帯板部をさらに深く嵌挿し、帯板部の切欠が突片の位置に達すると、脚部の復元力により突片が切欠に落ち込んでかみ込む。
鍵板と撮み板とを分離するために、撮み板の挿入口より操作具の先端部を挿入すると、操作具の先端部は抜止め部材の脚部の先端部に到達する。操作具を操作して突片を後退させると、脚部が外方へ撓んで突片が切欠より脱出し、両者のかみ込みが外れる。これにより、電子チップを伴った状態で鍵板の帯板部を撮み板より抜き取ることができる。
【００１２】
さらに好ましい実施態様においては、前記撮み板の両側面には、抜止め部材の左右の脚部の先端部の位置に合わせて開口部が形成されており、前記抜止め部材は、前記突片が形成されている脚部の先端部に、前記開口部を部分的に塞いで前記操作具の挿入口となす塞ぎ片が一体形成され、前記突片が形成されていない脚部の先端部には、前記開口部の全体を塞ぐ塞ぎ片が一体形成されている。
【００１３】
この実施態様によると、鍵板と撮み板とを分離するために、撮み板に形成された挿入口より挿入された操作具の先端部は、抜止め部材の一方の脚部の先端部の位置まで達する。その脚部の先端部には突片が形成されているので、操作具を操作して突片を後退させると、脚部が外方へ撓んで突片が切欠より脱出し、両者のかみ込みが外れる。他方の脚部の先端部に突片が形成されていない場合は、その脚部の先端部の側の開口部は全体が塞ぎ片により塞がれているので、その開口部より操作具を挿入することができない。
【発明の効果】
【００１４】
この発明によれば、鍵板と撮み板とを分離することが可能であるので、鍵板の切削および電子チップへの識別情報の書込が容易である。しかも、鍵板と撮み板との結合および撮み板への電子チップの組込が同時かつワンタッチで行うことができる。さらに、鍵板と撮み板とを結合した後は鍵板と撮み板とは抜止め部材を介して強固に結合するので、使用時に両者が簡単に分解することはなく、またその一方において、必要に応じて両者を操作具を用いて容易に分離することもできる。
【図面の簡単な説明】
【００１５】
【図１】この発明の一実施例である鍵材の正面図である。
【図２】図１の鍵材の一方の側面図である。
【図３】図１の鍵材の他方の側面図である。
【図４】図１の鍵材の底面図である。
【図５】撮み板の内部構造を示す正面図である。
【図６】操作具により突片を後退させた状態を示す正面図である。
【図７】撮み板の内面の構造を示す斜視図である。
【図８】鍵板の正面図である。
【図９】抜止め部材を示す斜視図である。
【図１０】他の実施例の撮み板の内部構造を示す正面図である。
【図１１】他の実施例における突変と切欠との係合状態を示す断面図である。
【図１２】イモビライザシステムの構成を示す説明図である。
【図１３】従来の鍵材の撮み板を開放した状態を示す斜視図である。
【発明を実施するための形態】
【００１６】
図１〜図４は、この発明の一実施例である鍵材の外観を示している。この実施例の鍵材は、イモビライザシステムに用いられるイグニションキーのスペアキーを製作するためのものであるが、この発明に係る鍵材は、車両の盗難防止という用途に限定されるものではない。図示例の鍵材は、金属製の鍵板１の基端部に合成樹脂製の撮み板２が一体に装着されたものである。撮み板２の内部には、図５に示すように、円筒形状の電子チップ４と、鍵板１が撮み板２より抜け出るのを阻止するための抜止め部材５とが組み込まれている。電子チップ４は、図示していないが、車両に搭載された送受信機と交信するためのアンテナ、固有のＩＤコードを記憶するためのメモリ、メモリからＩＤコードを読み出すとともに送受信機との間での電波の送受信を制御するための制御部などを含むものである。
【００１７】
撮み板２は、内部が中空であり、一対の合成樹脂成形体（以下「成形体」という。）３，３０を重合して接着剤、ビスなどにより一体接合したものである。図７には一方の成形体３の内面の構造が示されており、両側縁に沿う側壁部３１ａ，３１ｂの内側の板面上に、紐通し孔３６と、抜止め部材５を支持するための左右一対の筒状壁３２ａ，３２ｂと、電子チップ４の外周面が嵌る長さ方向に沿う凹溝３３とが形成されている。一方の筒状壁３２ａは中心部分が丸軸状に突出し、他方の筒状壁３２ｂは中心部分が丸穴状に凹んでいる。対をなす成形体３，３０を重合したとき、成形体３の一方の筒状壁３２ａは相手の成形体３０の筒状壁３２ｂと嵌合し、成形体３の他方の筒状壁３２ｂは相手の成形体３０の筒状壁３２ａと嵌合する。
【００１８】
左右の各側壁部３１ａ，３１ｂには、抜止め部材５の後述する脚部５０ａ，５０ｂの先端部の位置に合わせて、成形体３，３０を重合したときに開口部２０ａ，２０ｂ（図２，３参照）となる切欠部３４ａ，３４ｂが形成されている。成形体３の下端部は開放されており、成形体３，３０を重合したとき、下端部の開放部３５，３５間には鍵板１の後述する帯板部１０を挿脱することが可能な開口部２１が形成される（図４参照）。なお、他方の成形体３０も上記した成形体３と同じ内面構造のものであり、ここでは図示並びに説明を省略する。
【００１９】
鍵板１の先端は尖っており、鍵板１の少なくとも一側縁に沿って鍵山および鍵溝が刻設される。鍵板１の基端部には、図８に示すように、鍵板１の幅より大きな幅の帯板部１０が連続して一体に形成されている。この帯板部１０は撮み板２の内部に嵌挿されるもので、最も深く差し込まれたときに抜止め部材５による抜止め状態となり、撮み板２と一体化される。帯板部１０の一側縁には抜止め部材５の後述する突片５２がかみ込んだ状態で係合する切欠１１ａが形成されており、板面には前記電子チップ４が嵌ってその両側および上下端を保持するための凹部１２と、撮み板２の紐通し孔３６に連通する紐通し孔１３とが形成されている。
【００２０】
この実施例では帯板部１０の他側縁にも同様の切欠１１ｂが形成されているが、この切欠１１ｂは鍵板１を表裏反転させても使用可能とするために形成されている。また、この実施例の凹部１２は板面を貫通する孔により構成されているが、板面を貫通しない凹溝であってもよい。鍵板１の帯板部１０は、凹部１２に電子チップ４を嵌めた状態で撮み板２の下端面の開口部２１より撮み板２の内部に対して挿脱可能であり、したがって、撮み板２の開口部２１は、図４に示すように、電子チップ４の通過が可能な形状に形成されている。
【００２１】
前記抜止め部材５は、図９に示すように、左右一対の脚部５０ａ，５０ｂを有する合成樹脂製のＵ字状の板材により構成されており、撮み板２の内部に鍵板１の帯板部１０を跨ぐように配置されている。左右の各脚部５０ａ，５０ｂの上端部には円形孔５１ａ，５１ｂが形成されており、成形体３，３０を重合したとき、各円形孔５１ａ，５１ｂに前記筒状壁３２ａ，３２ｂが嵌合することで抜止め部材５が位置決め固定される。一方の脚部５０ａと側壁部３１ａとの間には隙間があり、筒状壁３２ａを支点として脚部５０ａが外方へ撓んで弾性変形することが可能になっている。
【００２２】
一方の脚部５０ａの先端部には、内向きの突片５２と外向きの塞ぎ片５３とがＵ字状の窪み５４を中間に介在させてそれぞれ一体形成されている。塞ぎ片５３は撮み板２の前記開口部２０ａに嵌り、図２および図５に示すように、開口部２０ａを部分的に塞ぐことで残りの隙間を操作具６の挿入口２２となすものである。前記突片５２は、鍵板１の帯板部１０の嵌挿により帯板部１０の一方の切欠１１ａにかみ込んで係合するもので、係合状態のとき、鍵板１が抜ける方向の引っ張り力に対して抜け阻止力が生ずるように鋭角状に屈曲した鉤状体に形成されている。抜止め部材５の突片５２には窪み５４に向けて傾斜するガイド端面５５が形成されている。このガイド端面５５は、鍵板１の帯板部１０を撮み板２の開口部２１より撮み板２の内部へ嵌挿したとき、抜止め部材５の突片５２が帯板部１０の側縁上に一旦乗り上がるようにガイドするものである。上記した抜止め部材５は、一方の脚部５０ａを残して全ての部分が成形体３，３０と接着、ビス止め、粘着テープなどにより一体に接合されている。
【００２３】
撮み板２の内部には、鍵板１の帯板部１０の切欠１１ａに対する抜止め部材５の突片５２のかみ込みを外すことが可能な軸状の操作具６を抜止め部材５の脚部５０ａの先端部に向けて挿入することが可能な隙間部２３が設けられている。この隙間部２３は前記挿入口２２と連通し、挿入口２２より挿入された操作具６の先端部は隙間部２３を経て抜止め部材５の前記窪み５４の位置に達する。なお、撮み板２の他方の開口部２０ｂは、図３および図５に示すように、他方の脚部５０ｂの先端部に形成された塞ぎ片５６により全体が塞がれているので、その開口部２０ｂの側からは前記操作具６を挿入することはできない。
【００２４】
前記挿入口２２より挿入された操作具６の先端部は抜止め部材５の先端部と窪み５４の位置で当接するので、図６に示すように、撮み板２の開口部２０ａの開口縁を支点として梃子のように操作具６を回動させると、操作具６の先端部が塞ぎ片５６を押して突片５２を外方へ後退させるので、突片５２は切欠１１ａより脱出し、突片５２と切欠１１ａとの係合が外れる。
【００２５】
なお、上記の実施例は、操作具６の先端部を撮み板２の側方より撮み板２の内部へ挿入する構成のものであるが、図１０に示す実施例のように、撮み板２の下端部の開口部２１の鍵板１との隙間を操作具６の挿入口２２となし、その挿入口２２へ操作具６の先端部を撮み板２の下方より挿入するような構成のものであってもよい。図１０の実施例では、操作具６の先端部は撮み板２の内部の帯板部１０との間の隙間部２３を経て抜止め部材５の突片５２の位置に達するもので、操作具６により突片５２を押して外方へ後退させることにより、突片５２と切欠１１ａとの係合が外れる。
【００２６】
また、図１１に示す実施例のように、撮み板２の前面に操作具６の挿入口２２を形成することも可能である。図示例では、撮み板２の前面の挿入口２２より挿入された操作具６の先端部は、隙間部２３を経て帯板部１０の切欠１１ａに達し、その切欠１１ａに係合している突片５２を帯板部１０の板面と直交する方向へ押することで突片５２と切欠１１ａとの係合が外れる。
【００２７】
なお、図１〜図９に示した実施例では、抜止め部材５の一方の脚部５０ａの先端部にのみ突片５２を形成しているが、弾性を有する両方の脚部５０ａ，５０ｂの先端部にそれぞれ突片５２を形成して、左右の各突片５２を鍵板１の帯板部１０の両側縁に形成された各切欠１１ａ，１１ｂにそれぞれ係合するように構成してもよい。その実施例においては、撮み板２の両側の開口部２０ａ、２０ｂを塞ぎ片により部分的に塞ぐことにより撮み板２の両側面に操作具６を挿入するための挿入口２２を形成する。
【００２８】
この発明による鍵材よりスペアキーを製作する場合、鍵板１と撮み板２とを分離し、鍵板１には切削加工を施して鍵山および鍵溝を刻設し、電子チップ４には固有のＩＤコードを書き込む。その電子チップ４を鍵板１の帯板部１０の凹部１２に嵌めた状態で、帯板部１０を撮み板２の下端部の開口部２１より撮み板２の内部へ嵌挿すると、まず、抜止め部材５の突片５２が帯板部１０の側縁上に乗り上がり、脚部５０ａが外方へ撓んで弾性変形する。帯板部１０をさらに深く嵌挿し、帯板部１０の切欠１１ａが抜止め部材５の突片５２の位置に達すると、脚部５０ａの復元力により突片５２が切欠１１ａに落ち込んでかみ込む。これにより鍵板１の帯板部１０と撮み板２とが強固に結合し、使用時に鍵板１の帯板部１０が撮み板２より抜け出て分離するおそれはない。
【００２９】
鍵材は、必要に応じて鍵板１と撮み板２とに分離することが可能であり、外部より操作具６を撮み板２の挿入口２２へ挿入し、操作具６の先端部を抜止め部材５の先端部に当てて突片５２を後退させると、突片５２は切欠１１ａより脱出して両者のかみ込みが外れるので、電子チップ４を伴った状態で鍵板１を撮み板２より抜き取ることができる。なお、他方の開口部２０ｂは全体が塞ぎ片５６により塞がれているので、その開口部２０ｂより操作具６を挿入することはできない。
【符号の説明】
【００３０】
１    鍵板
２    撮み板
４    電子チップ
５    抜止め部材
６    操作具
１０  帯板部
１１ａ，１１ｂ  切欠
１２  凹部
２０ａ，２０ｂ  開口部
２１  開口部
２２  挿入口
５０ａ，５０ｂ  脚部
５２  突片
５３，５６  塞ぎ片
【図１】
0005444429.tif 000002
【図２】
0005444429.tif 000003
【図３】
0005444429.tif 000004
【図４】
0005444429.tif 000005
【図５】
0005444429.tif 000006
【図６】
0005444429.tif 000007
【図７】
0005444429.tif 000008
【図８】
0005444429.tif 000009
【図９】
0005444429.tif 000010
【図１０】
0005444429.tif 000011
【図１１】
0005444429.tif 000012
【図１２】
0005444429.tif 000013
【図１３】
0005444429.tif 000014